(57)【要約】    【課題】  防滴構造を施す必要のない、操作ダイヤルを備えた洗浄機器を提供する。    【解決手段】  洗濯，すすぎ，脱水等の各運転時間の設定に供する操作ダイヤル１８ａが操作パネル１５上に形成したボス部２１を介して回動可能に設けられていて、該操作ダイヤル１８ａには磁束密度の異なる磁石２２ａ〜２２ｄが弧状に配設されている。一方、トップカバー２内に設けられた基板１６上、かつ操作ダイヤル１８ａの回動により全ての磁石２２ａ〜２２ｄと鉛直方向に重なる位置にホール素子２５が設けられていて、ホール素子２５に磁場が印加されると一定の電流が流れ、制御装置２６が該電流値に基づいて予め設定してある運転制御内容を実施する構成とする。    【選択図】  図４
2005168995.tif 000002
【特許請求の範囲】
【請求項１】
外箱と、該外箱表面に設けられ洗濯運転内容の設定及び入力に供する操作パネルと、前
記操作パネルに回動可能に設けられた操作ダイヤルと、前記外箱内方に設けられ洗濯運転
を制御する制御手段と、前記制御手段と接続され前記操作ダイヤルの回動操作により入力
信号が入力される入力装置とを具備し、
前記操作ダイヤルと前記入力装置の間は、機械的かつ電気的に非接触な構造であること
を特徴とする洗浄機器。
【請求項２】
操作ダイヤルは、操作パネルに対して無孔状態に取り付けられていることを特徴とする
請求項１記載の洗浄機器。
【請求項３】
入力装置は、操作ダイヤルの回転量に基づいた入力信号を入力することを特徴とする請
求項１又は２のいずれかに記載の洗浄機器。 
【発明の詳細な説明】
【技術分野】
【０００１】
本発明は、操作ダイヤルにより洗浄制御内容等を設定する洗浄機器に関する。
【背景技術】
【０００２】
従来、操作ダイヤルを回転操作することによりそのダイヤルの回転位置（量）に応じた
洗濯制御内容を設定する洗濯機が提案されている。それらの操作ダイヤルは操作部と回転
軸から構成され、該回転軸は操作パネル上に形成した孔部を介して基板上に配置された入
力装置に機械的もしくは電気的に接続され、操作部の回転量を入力装置が符号化し、回転
量情報に基づいて制御手段が洗濯制御している。（例えば、特許文献１参照）。
【特許文献１】特開平９−２１５８８９号公報  （第４頁、図４）
【発明の開示】
【発明が解決しようとする課題】
【０００３】
しかしながら、操作パネルと入力装置とを回転軸を介して接続するために、操作パネル
に孔部を形成しているが、洗浄機器においては、製品の性質上、操作パネルに水がかかる
可能性があるため、回転軸付近の孔部には操作パネル内部に浸入しないように、Ｏリング
等によってなんらかの防滴処理を行う必要が出てくる。また、入力装置自体も回転軸と接
続する構造上、浸入した水滴から入力装置や基板を守る防滴処理を行うことができないこ
とに加え、擦れる接点を有するため、洗濯機のように湿気や埃の多い運転環境の下では、
接点の信頼性に問題点を有していた。
【０００４】
本発明は、上述の事情に鑑みてなされたものであり、従ってその目的は、基板に防滴加
工を施しつつ、操作ダイヤルを有した信頼性の高い洗浄機器を提供することを目的とする
。
【課題を解決するための手段】
【０００５】
上記の目的を達成するために、本発明の洗浄機器は、外箱と、該外箱表面に設けられ洗
濯運転内容の設定及び入力に供する操作パネルと、前記操作パネルに回動可能に設けられ
た操作ダイヤルと、前記外箱内方に設けられ洗濯運転を制御する制御手段と、前記制御手
段と接続され前記操作ダイヤルの回動操作により入力信号が入力される入力装置とを具備
し、前記操作ダイヤルと前記入力装置の間は、機械的かつ電気的に非接触な構造であるこ
とを特徴とする。
【発明の効果】
【０００６】
本発明の洗浄機器によれば、操作ダイヤルと入力装置とが機械的にも電気的にも非接触
の構造であるため、基板に防滴加工を施すことができ、延いては基板に水が浸入すること
を防止するという著効を奏する洗浄機器を提供できる。
【発明を実施するための最良の形態】
【０００７】
（実施例１）
以下に、本発明を洗濯機に適用した第１実施例について図１乃至図５を参照して説明す
る。
【０００８】
まず、図１は、本発明の第１実施例を示す洗濯機の縦断側面図であり、この図に示すよ
うに洗濯機本体は、四角筒状の金属製の外箱１と、この外箱１の上端開口に装着したトッ
プカバー２とにより洗濯機本体の外殻を構成し、該外箱１の内部には水槽３を配置してい
る。この水槽３は、外箱１上端から吊り下げた４本（１本のみ図示）の吊り棒４にばね５
を介して弾性支持されており、前記水槽３内部には洗濯槽６を回転可能に内設している。
【０００９】
また、水槽３上端には水槽カバー７が配設されており、中央の開口部６ａ以外を覆ってい
る。
【００１０】
洗濯槽６は、周壁に孔８ａ及び凹凸部の形成された円筒状の胴部８と、その下部に結合
された椀状の底部９とから構成されており、さらに胴部８上端にはバランスリング１０を
設け、洗濯槽６の内底部には攪拌体１１が設けられている。しかるに、水槽３外底面に取
り付けられたモータ等から構成される駆動装置１２により、回転軸１３を介して洗濯槽６
と攪拌体１１が選択的に回転駆動されるようになっている。
【００１１】
さらに、前記トップカバー２は前記洗濯槽６への被洗濯物の出し入れが可能な開口部２
ａを有するとともに、例えば、その裏面に設けられたヒンジ１４ａにより二つ折り可能な
洗濯蓋１４がトップカバー２に開閉可能に取り付けられている。また、トップカバー２の
前部上面には、洗濯機の運転操作をするための操作パネル１５を設けており、この操作パ
ネル１５の下方、トップカバー２内には基板１６が配設されたユニットケース１７が設け
られている。
【００１２】
図２は、トップカバー２前方に設けられた操作パネル１５の正面図を示しており、トッ
プカバー２内には破線で示したユニットケース１７が配設されており、操作パネル１５上
には各種運転時間等を操作する３つの操作ダイヤル１８ａ，１８ｂ，１８ｃが並んで設け
られている。また、同操作パネル１５上には他に電源のＯＮ／ＯＦＦを操作するための「
入」キー１９ａ及び「切」キー１９ｂ、各種洗濯運転を開始する「スタート」キー２０が
設けられている。
【００１３】
操作ダイヤル１８ａ，１８ｂ，１８ｃは、各種運転時間の設定表示内容等が異なるが、
基本的に同様な機構を有しているため、そのうち代表して洗濯運転に関する操作ダイヤル
１８ａについて説明し、操作ダイヤル１８ｂ，１８ｃについては、説明を省略する。図３
は、洗濯運転時間の設定を行う操作ダイヤル１８ａの正面図を示したものであり、図４は
、トップカバー２内方を一部破断して示す縦断面図であり、図５は、操作ダイヤルを示す
拡大縦断面図である。操作ダイヤル１８ａは、図３に示すように操作パネル１５上に形成
されたボス部２１に回動可能に設けられており、洗濯時間「１５分」，「１０分」，「５
分」，及び「３分」のうち一つを選択し洗濯制御内容を設定できるようになっている。そ
して、操作ダイヤル１８ａ内部には、例えばそれぞれ磁束密度の異なる４個の磁石２２ａ
，２２ｂ，２２ｃ，及び２２ｄが、それぞれ操作ダイヤル１８ａ上面に表示された洗濯時
間「１５分」，「１０分」，「５分」，及び「３分」に合わせた位置に対応して配設され
ている。この磁石２２ａ，２２ｂ，２２ｃ，及び２２ｄの磁束密度の大小関係は、例えば
、２２ａ，２２ｂ，２２ｃ，２２ｄの順に高いという関係を有している。また、操作ダイ
ヤル１８ａの左隣には矢印形の凸部２３が設けられており、さらにその左隣には「洗い時
間」という文字２４が配置されている。
【００１４】
図４に示すように、操作ダイヤル１８ａ下の基板１６上には、磁力密度の大きさによっ
て異なる電圧値の電圧が発生するホール素子２５が配設されている。該ホール素子２５は
、磁石２２ａ〜２２ｄの面積よりも小さく、また、基板１６上にはホール素子２５等から
の洗濯制御内容設定入力により洗濯制御を行う制御装置２６が配設されており、基板１６
は、樹脂製のユニットケース１７内に載置され、ユニットケース１７の底部４箇所に形成
されたボス部２７にねじ２８によって固定されている。
【００１５】
また、ユニットケース１７内部には、基板１６や制御装置２６等の部品を防滴するため
に、これらの部品取り付け後にウレタン２９を充填している。
【００１６】
図５に示すように、操作ダイヤル１８ａは有底円筒状のものであり、その中心には、ね
じ孔３０が形成されていて、操作ダイヤル１８ａは鉄板３１とともにねじ３２によってボ
ス部２１に取り付けられている。ねじ３２は、溝を有する部分３２ａと、円柱状の胴部３
２ｂと、頭部３２ｃとから構成されていて、ねじ３２を取り付けた状態で、胴部３２ｂを
中心として回動可能に軸支されている。操作パネル１５には水滴を通過させるような孔や
隙間は存在しない。操作ダイヤル１８ａ内上方には、外部からの磁束密度がホール素子２
５に与える影響を抑えている。
【００１７】
次に、この様に構成された洗濯機の作用について説明する。
【００１８】
まず、操作パネル１５を操作して運転コース等を設定した後、「スタート」キー２０を
押すと後述する「洗い」・「すすぎ」・「脱水」の各行程を順次実行する。これらの各行
程では、必要に応じて、運転時間等を操作パネル１５上の操作ダイヤル１８ａ，１８ｂ，
１８ｃ等の操作により変更可能である。
【００１９】
操作ダイヤル１８ａを回転させることにより、磁束密度の異なる磁石２２ａ，２２ｂ，
２２ｃ，２２ｄの何れかがホール素子２５の位置と一致した時にホール素子２５に発生す
る、磁束密度に応じた電圧値により洗濯等の運転時間を設定することができる。例えば、
「入」キー１９ａを押して電源をＯＮにした状態において、「洗い」行程の運転時間を「
５分」に設定する際には、操作ダイヤル１８ａを回転させ、凸部２３に磁石２２ｂを合わ
せた状態にすることによって、「スタート」キー２０を押して運転を開始した後に、ホー
ル素子２５に磁石２２ｂの磁束密度に対応した電圧が発生し、この電圧を制御装置２６が
検知すると、予め設定しておいた５分間だけ駆動装置１２を駆動して、「洗い」行程を実
行する。
【００２０】
そして、洗濯槽６内に被洗濯物を投入した後に、攪拌体１１を回転駆動させ、この際に
該攪拌体１１にかかる負荷により被洗濯物の重さ（容量）を検知して、その後、被洗濯物
の容量に対応した所定の水量を貯水し、撹拌体１１を駆動装置１２により回転駆動して被
洗濯物を撹拌し、以って被洗濯物の汚れを落とす洗い行程が実行される。さらに、操作ダ
イヤル１８ｂ，１８ｃの設定内容に基づいて、「すすぎ」行程，「脱水」行程を順次実行
するようになっている。
【００２１】
上記した第１実施例によれば、操作ダイヤル１８ａとホール素子２５の間は、機械的に
も電気的にも非接触の構造であるので、操作ダイヤル１８ａや基板１６に水滴が投下する
ことがないよう、容易に防滴効果を施すことができる。また、ホール素子２５と磁石２２
ａとの磁気的な作用を利用し、操作ダイヤル１８ａと制御装置２６との接点がないため、
水滴や埃が付着しても操作上支障がなく、操作ダイヤル１８ａの信頼性も向上する。さら
に、操作パネル１５に形成したボス部２１に取り付けられており、トップカバー２の組立
も簡単である。基板１６上の入力装置はホール素子２５のみによって構成されるため、基
板１６上での部品配置面積を小さくできる。操作ダイヤル１８ａの中心となるボス２１が
基板上１６に位置するように配置する必要が無いため、操作ダイヤル１８ａのレイアウト
の自由度が増し、基板１６の面積を縮小することもできる。
【００２２】
（実施例２）
次に、本発明の第２実施例を図５及び図６に基づいて説明する。
【００２３】
図６は図４相当図であり、図７は図３相当図であり、上記した第１実施例を示す構成と
は操作ダイヤル１８ａ〜１８ｃ及び入力装置の構成が相違している。上記第１実施例と同
一部分には、同一符号を付して一部省略して説明する。
【００２４】
図６及び図７に示すように、操作ダイヤル１８ａ内には磁石３３が配設されており、基
板１６上には操作ダイヤル１８ａの回転による洗濯制御内容の設定を検知する入力装置た
るリードスイッチ３４ａ〜３４ｄが「１５分」，「１０分」，「５分」，及び「３分」の
洗濯運転の入力に対応していて、操作ダイヤル１８ａ直下に円弧状に配置されている。操
作ダイヤル１８ａを回転操作したときに、磁石３３と各リードスイッチ３４ａ〜３４ｄが
それぞれ鉛直方向に重なるように配設されている。そして操作パネル１５上には、各リー
ドスイッチ「１５分」，「１０分」，「５分」，及び「３分」の文字３５及び矢印表示３
６が配置され、操作ダイヤル１８ａ上には、磁石３３の真上に印３７が描かれている。
【００２５】
該印３７を各矢印表示３６に合わさるように、操作ダイヤル１８ａを回転させると、例
えば、磁石３３が回転移動し、リードスイッチ３４ａが磁石３３の磁場を検知するとリー
ドスイッチ３４ａはＯＮ状態となり、これによって洗濯時間が「１５分」と設定され、制
御装置により運転制御される。他のリードスイッチ３４ｂ〜３４ｄが検知した場合も同様
に対応した洗濯時間が設定され運転制御される。
【００２６】
上記した第２実施例によれば、操作ダイヤル１８ａとリードスイッチ３４ａ〜３４ｄの
間は、機械的にも電気的にも非接触の構造であるので、操作ダイヤル１８ａや基板１６に
水滴が投下することがないよう、防滴効果を施すことができる。また、リードスイッチ３
４ａ〜３４ｄは、操作ダイヤル１８ａとの接点がないため、水滴や埃が付着しても壊れに
くく、操作ダイヤル１８ａの信頼性も向上する。さらに、操作ダイヤル１８ａは操作パネ
ル１５に形成したボス部２１に取り付けられており、操作パネル１５を貫通していないた
め、操作パネル１５の組立も簡単である。また、操作ダイヤル１８ａの中心となるボス部
２１が基板上１６に位置するように配置する必要が無いため、操作ダイヤル１８ａ〜１８
ｃのレイアウトの自由度が増し、基板１６の面積を縮小することもできる。
【００２７】
（実施例３）
次に、本発明の第３実施例を図８及び図９に基づいて説明する。
【００２８】
図８は図４相当図であり、図９は図３相当図であり、上記した第１実施例を示す構成と
は操作ダイヤル１８ａ〜１８ｃ及び入力装置の構成が相違している。上記第１実施例と同
一部分には、同一符号を付して一部省略して説明する。
【００２９】
図８に示すように、基板１６上には、操作ダイヤル１８ａの回転による洗濯制御内容の設
定を検知する入力装置たる、発光素子と受光素子からなるフォト式距離検知装置３８が配
置されている。フォト式距離検知装置３８は、発光することができ、対象物による反射光
を検知して、発光から反射光受光までの時間を計測することによって、対象物との距離を
求めることができる装置である。また、操作ダイヤル１８ａの裏面には、フォト式距離検
知装置３８の鉛直上方には、反射部３９ａ〜３９ｄが螺旋階段状に形成されてあり、該反
射部３９ａ〜３９ｄとフォト式距離検知装置３８との距離は段々に長くなっている。反射
部３９ａ〜３９ｄは、フォト式距離検知装置３８からの発光を反射する素材からできてい
る。また、フォト式距離検知装置３８直上の操作パネル１５には透明部４０が形成されて
おり、フォト式距離検知装置３８からの発光及び反射部による反射光を通過させるように
なっている。透明部４０周囲の操作パネル１５には、水滴を通過させるような孔や隙間は
存在しない。
【００３０】
上記した第３実施例によれば次の効果がある。
【００３１】
操作パネル１５を貫通する孔が存在しないため、ユニットケース１７のトップカバー２
への取り付けが容易であるとともに、操作ダイヤル１８ａとフォト式距離検知装置３８と
の間は機械的にも電気的にも非接触の構造であるので、操作ダイヤル部１８ａや基板１６
に防滴効果を施すことができる。基板１６上の入力装置はフォト式距離検知装置３８のみ
から構成されるため、基板１６上での部品配置面積を小さくできる。さらに、操作ダイヤ
ル１８ａの裏面に成形された反射部３９ａ〜３９ｄの階段数を変更することにより、容易
に洗濯時間の設定の数を増減することができる。
【００３２】
なお、フォト式距離検知装置３８の代わりに超音波を発生し検知することが可能な超音
波距離検知装置や他の電磁波を発生し検知できる装置を用い、反射部３９ａ〜３９ｄは超
音波もしくは他の電磁波を反射可能な材質のものを用いて構成してもよく、実施に際して
本発明の要旨を逸脱しない範囲で種々変更して実施可能である。
【００３３】
（実施例４）
次に、本発明の第４実施例を図１０及び図１１に基づいて説明する。
【００３４】
図１０は、図４相当図であり、図１１は、図３相当図であり、上記した第１実施例を示
す構成とは操作ダイヤル１８ａ及び入力装置の構成が相違している。上記第１実施例と同
一部分には、同一符号を付して一部省略して説明する。
【００３５】
図１０に示すように、基板１６上には静電容量検知装置４１が配置され、２枚の電極４
２，４２を持つコンデンサから構成されるものである。操作ダイヤル１８ａの裏面には、
それぞれ半径方向の厚みが異なる誘電体部４３ａ〜４３ｄが形成されており、操作パネル
１５を介して静電容量検知装置４１の２枚の電極４２，４２間に挟まれるように配置され
ている。操作パネル１５には、前記誘電体部４３ａ〜４３ｄに対応する位置に周溝４４が
形成されている。
【００３６】
図１１は、厚みの異なる誘電体部４３ａ〜４３ｄが操作ダイヤル１８ａの裏面に弧状に
形成されている。誘電体部４３ａ〜４３ｄの内壁４５ａ〜４５ｄは連続した弧を形成して
いて、反対に外壁４６ａ〜４６ｄは弧半径の大きな順に階段状に並んでいる。静電容量検
知装置４１は、制御装置２６と電気的に接続されていて、誘電体部４２ａ〜４２ｄが電極
４２，４２間に介在したときに静電容量検知装置４１によって検知される電気容量に応じ
た信号が制御装置２６内部に予め設定されて記憶されている。
【００３７】
また、操作ダイヤル１８ａ上面には、「１５分」，「１０分」，「５分」，及び「３分
」という文字が表示されており、この表示はそれぞれ誘電体部４３ａ〜４３ｄに対応した
位置にある。
【００３８】
操作ダイヤル１８ａを回動操作することにより、誘電体部４３ａ〜４３ｄの何れかが静
電容量検知装置４１の２枚の電極４２，４２に挟まれ、静電容量検知装置４１で検知した
電気容量が制御装置に入力され、その電気容量に応じた洗濯時間に基づいて選択制御され
る。なお、制御装置２６内には電気容量が一定の範囲を持たせて記憶されているため、静
電容量検知装置４１の検知した静電容量に多少の検知誤差が生じたとしても、制御回路２
６が範囲内であると判断したならば、その静電容量に対応した洗濯時間だけ洗濯制御を実
行する。
【００３９】
上記した第４実施例によれば次の効果がある。
【００４０】
操作パネル１５を貫通する孔が存在しないため、ユニットケース１７のトップカバー２
への取り付けが容易であるとともに、操作ダイヤル１８ａと静電容量検知装置４１との間
は機械的にも電気的にも非接触の構造であるので、操作ダイヤル部１８ａや基板１６に防
滴効果を施すことができる。基板１６上の入力装置は静電容量検知装置４１のみから構成
されるため、基板１６上での部品配置面積を小さくできる。さらに、操作ダイヤル１８ａ
の裏面に成形された誘電体部４３ａ〜４３ｄの厚さを多様に変えることにより、容易に洗
濯時間の設定の数を増減することができる。
【００４１】
なお、電気容量を変化させるために厚みの異なる誘電体部４３ａ〜４３ｄを用いたが、
誘電率の異なる誘電体を用いて行ってもよく、実施に際して本発明の要旨を逸脱しない範
囲で種々変更して実施可能である。
【００４２】
（実施例５）
次に、本発明の第５実施例を図１２及び図１３に基づいて説明する。
【００４３】
図１２は、図１０相当図であり、図１３は、図１１相当図であり、上記した第４実施例
を示す構成とは操作ダイヤル１８ａ及び入力装置の構成が相違している。上記第１実施例
と同一部分には、同一符号を付して一部省略して説明する。
【００４４】
図１２に示すように、基板１６上には発光部４７ａと受光部４７ｂからなる光透過検知
装置４８が配設されている。操作パネル１５のボス部２１の周囲には円形の周溝４４が形
成されていて、発光部４７ａと受光部４７ｂは前記周溝４４を隔てて、対向して設けられ
ている。そして、周溝４４の発光部４７ａと受光部４７ｂとの間に介在する部分には、透
明な部材４９が用いられている。
【００４５】
一方、図３に示すように、操作ダイヤル１８ａ裏面には多数の短冊状部材５０が下方に
突き出して環状に設けられている。光透過検知装置４６は、制御装置２７と接続されてい
る。また、操作パネル１５上、操作ダイヤル１８ａ近隣には「１５分」，「１０分」，「
５分」，及び「３分」の文字５１ａ〜５１ｄが縦に並び、それぞれの文字の横にはＬＥＤ
５２ａ〜５２ｄがそれぞれ１つずつ、文字５１ａ〜５１ｄに対応して設けられている。
【００４６】
光透過検知装置４８は、短冊状部材５０が介在していると、光が透過できずにＯＦＦ状
態となり、その他のときにはＯＮ状態となる。操作ダイヤル１８ａを回動操作すると、こ
のＯＮ状態からＯＦＦ状態への変化、もしくはＯＦＦ状態からＯＮ状態への変化が示す信
号が制御装置２６に入力される。操作ダイヤル１８ａの回転方向が時計回りでも反時計回
りでも同様である。信号が入力されるたびに、該ＬＥＤ５２ａ〜５２ｄは、制御装置２６
からの信号に基づいて、「３分」（ＬＥＤ５２ｄ），「５分」（ＬＥＤ５２ｃ），「１０
分」（ＬＥＤ５２ｂ），及び「１５分」（ＬＥＤ５２ａ）順に１つだけ点灯制御されるよ
うになっている。
【００４７】
そして、「スタート」キー２０を押して、洗濯行程が開始されると、この設定時間と制
御装置２６内部に記憶された情報とに基づいて洗濯制御が実施される。
【００４８】
上記した第５実施例によれば次の効果がある。
【００４９】
入力装置は、操作ダイヤル１８ａを回転させた時、操作ダイヤル１８ａの回転量を検知
して各種の洗濯制御内容を回転量に比例して細かく設定することができる。また、操作パ
ネル１５を貫通する孔は存在しないため、操作パネル１５のトップカバー２への取り付け
が容易であるとともに、操作ダイヤル１８ａと光透過検知装置４８との間は機械的にも電
気的にも非接触の構造であるので、操作ダイヤル１８ａや基板１６に防滴効果を施すこと
ができる。基板１６上の入力装置は光透過検知装置４８のみから構成されるため、基板１
６上での部品配置面積を小さくできる。さらに、操作ダイヤル１８ａの裏面に設けた短冊
状部材５０の幅及び設置間隔を変化させることにより、細かな幅や間隔にすることによっ
て、回転角度の僅かな操作によって洗濯時間を変更し、反対に回転角度の大きな操作にて
変更するなど、操作ダイヤル１８ａの感度を考慮した自由度の高い設計が可能である。
【００５０】
なお、光透過検知装置４８を用いたが、ある程度の指向性を有した電磁波を用いた透過
検知装置であればよいし、多数の短冊状部材５０を利用したスリット構造ではなく、透明
部材と有色部材もしくは電磁波透過部材と電磁波不透過部材とによって交互に形成された
環状のフランジを用いてもよく、実施に際して本発明の要旨を逸脱しない範囲で種々変更
して実施可能である。
【図面の簡単な説明】
【００５１】
【図１】本発明の第１実施例を示す洗濯機の縦断面図
【図２】操作パネルの正面図
【図３】操作ダイヤルの正面図
【図４】操作ダイヤルの縦断面図
【図５】操作ダイヤルの拡大縦断面図
【図６】第２実施例を示す図４相当図
【図７】図３相当図
【図８】第３実施例を示す図４相当図
【図９】図３相当図
【図１０】第４実施例を示す図４相当図
【図１１】図３相当図
【図１２】第５実施例を示す図１０相当図
【図１３】図１１相当図
【符号の説明】
【００５２】
１  外箱
２  トップカバー
１５  操作パネル
１６  基板
１７  ユニットケース
１８ａ，１８ｂ，１８ｃ  操作ダイヤル
２１  ボス部
２２ａ，２２ｂ，２２ｃ，２２ｄ，３３  磁石
２５  ホール素子
２６  制御装置
２９  ウレタン
３１  鉄板
３４ａ，３４ｂ，３４ｃ，３４ｄ  リードスイッチ
３８  フォト式距離検知装置
３９ａ，３９ｂ，３９ｃ，３９ｄ  反射部
４０  透明部
４１  静電容量検知装置
４２  電極
４３ａ，４３ｂ，４３ｃ，４３ｄ  誘電体部
４４  周溝
４８  光透過検知装置
５０  短冊状部材
５２ａ，５２ｂ，５２ｃ，５２ｄ  ＬＥＤ
【図１】
2005168995.tif 000003
【図２】
2005168995.tif 000004
【図３】
2005168995.tif 000005
【図４】
2005168995.tif 000006
【図５】
2005168995.tif 000007
【図６】
2005168995.tif 000008
【図７】
2005168995.tif 000009
【図８】
2005168995.tif 000010
【図９】
2005168995.tif 000011
【図１０】
2005168995.tif 000012
【図１１】
2005168995.tif 000013
【図１２】
2005168995.tif 000014
【図１３】
2005168995.tif 000015